(57)【要約】【課題】施工が容易で、狭いスペースにより多数名分の遺骨を効率よく収納し得る合祀墓を提供する。【解決手段】納骨槽１内に、発泡プラスチック製で複数の空洞部を有する支持体５が配置され、該支持体５の空洞部に筒体４が挿嵌されて、該筒体４内を納骨部４ａとして遺骨が収納される合祀墓とする。【選択図】図３
0003235415.tif 000002
【実用新案登録請求の範囲】
【請求項１】
複数の筒状の空洞部を有する発泡プラスチック製の支持体を有することを特徴とする合祀墓。
【請求項２】
前記支持体が押出法ポリスチレンフォームからなることを特徴とする請求項１に記載の合祀墓。
【請求項３】
前記支持体は、一方の表面に凹部を複数有する２枚の発泡プラスチック板からなり、互いの凹部が対向して前記空洞部を構成していることを特徴とする請求項１又は２に記載の合祀墓。
【請求項４】
前記支持体が少なくとも一つ、バサモル及びモルタルの少なくとも一方からなる納骨槽内に配置されていることを特徴とする請求項１乃至３のいずれか一項に記載の合祀墓。
【請求項５】
前記空洞部の内壁面にコーティング層を有することを特徴とする請求項１乃至４のいずれか一項に記載の合祀墓。
【請求項６】
前記空洞部に挿嵌された筒体を有することを特徴とする請求項１乃至５のいずれか一項に記載の合祀墓。
【請求項７】
前記筒体の開口部の一方に墓碑が配置されていることを特徴とする請求項６に記載の合祀墓。
【請求項８】
前記空洞部が円柱形、前記筒体が円筒形であることを特徴とする請求項６乃至７のいずれか一項に記載の合祀墓。
【考案の詳細な説明】
【技術分野】
【０００１】
本考案は、多数名分の遺骨を個々に納骨する合祀墓に関する。
【背景技術】
【０００２】
近年、先祖代々の墓が遠方で墓参や手入れに不便であるため、自宅近くに墓を用意したい、或いは、夫婦や個人単位での墓を用意したい、との理由から、アクセスが容易な納骨施設への要望が高まっている。交通の便の良い環境は人気が高いが、従来の納骨施設では、納骨し得る数に限りがあり、より多数名分の遺骨を収納し得る納骨施設が求められている。特許文献１には、腰石で囲まれた領域内を複数の仕切板で格子状に区画し、各区画内に土砂を充填すると同時に、該土砂の中央部に円柱状の納骨穴を形成し、係る納骨穴に遺骨を収納したカプセルを収納することにより、限られたスペースにより多数名分の遺骨を収納可能とした共同墓が開示されている。
【先行技術文献】
【特許文献】
【０００３】
【特許文献１】特開２０１９−２０６８６１号公報
【考案の概要】
【考案が解決しようとする課題】
【０００４】
限られたスペースに多数名分の遺骨を収納するためには、１区画分の占める底面積を狭くすればよいが、その分、高さを高くする必要がある。特許文献１に開示された共同墓においても、１区画分の底面積を狭くすると、収納するカプセルを細長くする必要があり、先に土砂を充填した場合には、納骨穴がカプセル収納前、或いは収納時に崩れやすく、また、カプセル収納と同時に土砂を充填しようとすると、カプセルが倒れないように保持しておく必要があり、納骨作業が煩雑であった。
【０００５】
本考案の課題は、施工が容易で、狭いスペースにより多数名分の遺骨を効率よく収納し得る合祀墓を提供することにある。
【課題を解決するための手段】
【０００６】
本考案は、複数の空洞部を有する発泡プラスチック製の支持体を有することを特徴とする合祀墓である。
【０００７】
本考案においては、以下の構成を好ましい態様として含む。
前記支持体が押出法ポリスチレンフォームからなる。
前記支持体は、一方の表面に凹部を複数有する２枚の発泡プラスチック板からなり、互いの凹部が対向して前記空洞部を構成している。
前記支持体が少なくとも一つ、バサモル及びモルタルの少なくとも一方からなる納骨槽内に配置されている。
前記空洞部の内壁面にコーティング層を有する。
前記空洞部に挿嵌された筒体を有する。
前記筒体の開口部の一方に墓碑が配置されている。
前記空洞部が円柱形であり、前記筒体が円筒形である。
【考案の効果】
【０００８】
本考案においては、遺骨は発泡プラスチック製の支持体に形成された空洞部、或いは、該空洞部に挿嵌された筒体に収納されるため、該空洞部を細長い形状として狭いスペースに多数名分の遺骨を効率よく収納することができる。また、筒体を用いる場合も、支持体の空洞部に挿嵌するだけであるため、筒体を保持する必要はなく、作業が容易であり、短期間で施工することができる。
【図面の簡単な説明】
【０００９】
【図１】本考案の合祀墓の一実施形態の斜視図である。
【図２】図１の合祀墓を上方から見た図である。
【図３】図２中のＡ−Ａ’部位の断面模式図である。
【図４】図２の合祀墓より墓碑と土壌と筒体とを取り除いた状態を示す図である。
【図５】図４の状態での、図２中の領域Ｂのカッタウェイ斜視図である。
【図６】図２の合祀墓より墓碑と土壌とを取り除いた状態での、図２中の領域Ｂのカッタウェイ斜視図である。
【図７】図２の合祀墓より土壌を取り除いた状態での、図２中の領域Ｂのカッタウェイ斜視図である。
【図８】図２の合祀墓の支持体の製造工程を示す図である。
【図９】筒体の位置を行毎に互い違いに配置した実施形態の、墓碑と土壌と筒体とを取り除いた状態で上方から見た図である。
【図１０】筒体を湾曲線上に配置する実施形態を示す図である。
【図１１】筒体を水平方向に寝かせて配置した本考案の合祀墓の実施形態の垂直方向の断面模式図である。
【図１２】筒体を水平方向に寝かせて配置し、上下方向で墓碑の位置をずらせた本考案の合祀墓の実施形態の垂直方向の断面模式図である。
【考案を実施するための形態】
【００１０】
本考案は、合祀墓であり、複数の空洞部を有する発泡プラスチック製の支持体を有することを特徴とする。以下、図面を参照して詳細に説明する。尚、本考案の趣旨を逸脱しない範囲で、当業者の通常の知識に基づいて、以下の実施の形態に対して適宜変更、改良等が加えられたものも本考案に含まれる。また、本明細書に添付の図面においては、本考案にかかる主要な構成のみを示し、他の構成については便宜上図示を省略する。
【００１１】
図１は、本考案の合祀墓の好ましい一実施形態の斜視図であり、一般に「樹木葬」と呼ばれる、屋外に設けられる合祀墓の一例である。図２は係る合祀墓を上方から見た図であり、図２中のＡ−Ａ’部位の断面模式図を図３に示す。
【００１２】
図１〜図３において、１は納骨槽、２は墓碑、３は土壌、４は筒体、５は支持体、６は砕石層、７は排水パイプである。本実施形態の合祀墓は、上方に開口部を有するプール状の納骨槽１が、該開口部が周囲の地表面と等しいか少し高くなるように、地中に埋設されており、該納骨槽１内に、発泡プラスチック製の支持体５が収納されている。支持体５には、該支持体５を貫通する複数の空洞部が形成されており、該空洞部内に筒体４が挿嵌され、該筒体４内の空間４ａが納骨部であり、該納骨部４ａに遺骨が収納され、筒体４の上方側の開口部が墓碑２によって塞がれている。本実施形態においては、支持体５の上面が筒体４の上端よりも低く形成されており、支持体５の上面に土壌３が充填され、草花を植えることができるようになっている。
【００１３】
図４は、図１〜図３の合祀墓より、墓碑２と土壌３と筒体４とを除いた状態、即ち、納骨槽１内に支持体５を配置しただけの状態を上方から見た図であり、図５は同じ状態の、図２のＢで示される領域のカッタウェイ斜視図である。
【００１４】
図４，図５に示すように、本実施形態において、支持体５は該支持体５を貫通するトンネル状の複数の空洞部５ｃを有している。図６は、図５の支持体５の空洞部５ｃに筒体４を挿嵌した状態を示す斜視図である。本実施形態において、筒体４は、納骨槽１の深さよりも若干短く形成されており、下端が納骨槽１の底面に接している。図７は図６の状態からさらに、筒体４の上端側に墓碑２を配置した状態を示す斜視図である。
【００１５】
本考案に用いられる支持体５は、発泡プラスチック製であり、好ましくはポリスチレンフォーム製である。製造方法は特に限定されないが、金型を用いたビーズ発泡法では、空洞部５ｃに対応した金型を用意する必要があり、筒体４の形状や大きさの変更に容易に対応しづらい。よって、押出法で得られた２枚の発泡プラスチック板を加工して接着する方法が好ましい。具体的な製造方法を、図１〜図７に例示した円筒状の筒体４を用いる場合を例に挙げ、図８に製造工程を示して説明する。
【００１６】
先ず図８（ａ）に示すように、発泡プラスチック板１０を用意し、その一方の表面に、筒体４の中心軸を含む面で該筒体４を２分割した形状に対応する凹部１０ａを形成する（図８（ｂ））。凹部１０ａは、紙面に直交する方向に発泡プラスチック板１０を横断しており、ＮＣ熱線加工で容易に形成することができる。係る凹部１０ａを有する支持部材５ａと同様の支持部材５ｂを用意し（図８（ｃ））、互いの凹部１０ａを対向させて接着剤等で接着すると（図８（ｄ））、２つの凹部１０ａを空洞部５ｃとする支持体５が完成する。このように、厚さが支持体５の半分である支持部材５ａ，５ｂで支持体５を構成することにより、支持体５を安価に製造することができる。また、空洞部５ｃの形状や大きさの変更も容易である。
【００１７】
尚、支持部材５ａ，５ｂは必ずしも接着する必要はないが、接着して一体化しておくと、現地での作業が容易になり、好ましい。
【００１８】
押出法で製造し得る押出法ポリスチレンフォーム板は、厚さが最大で１００ｍｍ程度である。従って、支持部材５ａ，５ｂで構成することにより、厚さが最大で２００ｍｍの支持体５を製造することができる。尚、押出法ポリスチレンフォームとしては、密度が２０ｋｇ／ｍ3〜５０ｋｇ／ｍ3、吸水量が０．０１ｇ／１００ｃｍ2以下、曲げ弾性率が１０００Ｎ／ｃｍ2〜５０００Ｎ／ｃｍ2程度であることが好ましい。尚、これらの物性はＪＩＳ  Ａ  ９６５２１に準拠して測定した値である。
【００１９】
支持体５の厚さ、高さは、筒体４を挿嵌して支持し得る大きさに設定される。筒体４としては、円筒形、角筒形のいずれでも良いが、側圧が均等にかかることから、円筒形が好ましく、支持体５の空洞部５ｃも、円筒形の筒体４を均等に支持する観点から、円柱形が好ましい。筒体４が円筒形の場合には、外径が１２０ｍｍ〜１８０ｍｍ、長さが１ｍ〜２ｍ程度である。空洞部５ｃは、筒体４の挿嵌を容易にし得ること、挿嵌後の筒体４を支持し得ること、さらに、空洞部５ｃをＮＣ熱線加工で形成した場合には、切断箇所の温度上昇による寸法誤差が生じること、を考慮して、空洞部５ｃの内径が筒体４の外径よりも２ｍｍ〜４ｍｍ程度大きくなるよう設計すればよい。
【００２０】
筒体４としては、屋外に配置されることから、耐水性を有する樹脂や金属が好ましく、具体的には、ポリ塩化ビニル製やステンレススチール製が好ましい。中でも、軽量であることからポリ塩化ビニル製が好ましい。
【００２１】
本考案において、納骨槽１は必ずしも必要ではないが、納骨槽１を形成しておくことで支持体５の配設が容易になり、好ましい。納骨槽１は、バサモルやモルタルによって形成すればよく、特に、底面においては、納骨槽１内に浸入した雨水などの水分を下方の土壌へ排出するため、透水性を有するバサモルで形成しておくことが好ましい。また、納骨槽１の側面は、周囲の土壌から水分が浸入しないように、モルタルで形成することが好ましい。しかしながら、側面をモルタルで、底面をバサモルでそれぞれ施工することが煩雑である場合には、どちらか一方で形成しても良く、納骨槽１全体をモルタルで形成した場合には、水分を排出し得るように、適宜、底面に水分の排出孔を設けておくことが好ましい。
【００２２】
また、納骨槽１の下方には、透水性の高い砕石層６を形成し、該砕石層６から土壌外へ排水しうる手段を講じておくことが好ましい。例えば、図３に図示するように、砕石層６内に透水性の排水パイプ７を配置して、納骨槽１の底面から砕石層６に浸入した水を排水パイプ７内に導入し、砕石層６の端部まで誘導し、下水道や河川へ排出する形態とすることが好ましい。
【００２３】
図１〜図７の実施形態では、筒体４は、一方の開口部、即ち下方側の開口部が納骨槽１の内面である底面に接するように配置されるため、筒体４内の納骨部４ａに浸入した水分は下端側から排出される。また、筒体４の他方の開口部、即ち上方側の開口部は図２に示すように開口部の内径よりも外径の大きい墓碑２を載置して塞いでもよいが、別途用意した蓋で塞ぎ、その上に墓碑２を載置しても良い。いずれにしても、筒体４の上方側の開口部から筒体４内に雨水や土壌が浸入しないように配慮しておくことが好ましい。
【００２４】
本考案の合祀墓においては、基本的に、一つの筒体４に一名分の遺骨が収納されるが、一つの筒体４に複数名分の遺骨を収納しても構わない。遺骨はそのまま筒体４に収納しても良いが、布袋や樹脂製容器などに収納した上で筒体４に収納しておけば、後日、墓じまいや移転をする際に遺骨を容易に取り出すことができる。
【００２５】
図１の実施形態では、墓碑２は円盤状であるが、本考案ではこれに限定されず、筒体４及び支持体５上に隙間なく墓碑２を載置する形態としても構わない。墓碑２は、従来と同様の石材が用いられるが、樹脂や金属製の板材であってもよく、その場合には、支持体５に取り付けて固定する形態が好ましい。また、支持体５上の筒体４の周囲を土壌３とする代わりに、砂利や石材を敷いても構わない。
【００２６】
さらに、図１の実施形態では、筒体４を複数列、複数行に配置したが、図９に示すように、行毎に筒体４の位置を半ピッチ分ずらして、互い違いに配しても構わない。図９は、納骨槽１内に支持体５を配設した状態を上方から見た図であり、ここでは、支持部材５ａ，５ｂからなり空洞部５ｃを４個形成した支持体５と、支持部材５ａ’，５ｂ’からなり空洞部５ｃを３個形成した支持体５’とを組み合わせて用いている。
【００２７】
また、本考案においては、図４に示した支持体５を配置する際に、図１０に示すように、上方から見て隣り合う支持体の境界の一端に間隙材１１を介在させることで、筒体４を湾曲線上に配置することができる。
【００２８】
尚、上記の実施形態においては、筒体４を用いた形態を示したが、本考案においては、必ずしも筒体４は必要ではなく、支持体５に形成した空洞部５ｃを納骨部として遺骨を直接収納する形態としても良い。その場合、空洞部５ｃの内壁面にはコーティング剤を塗布してコーティング層を形成しておくことが好ましく、コーティング剤としては、特に限定はされずに有機系又は無機系の材料が用いられる。中でもエポキシ系樹脂又はウレタン系樹脂が好ましく用いられる。また、筒体４を用いる上記の実施形態においても、支持体５の空洞部５ｃの内壁面にコーティング層を形成しておくことで、筒体４を用いる形態、用いない形態のいずれも適用が可能となり、好ましい。
【００２９】
筒体４を用いない場合、図１〜図７の形態では、支持体５は、上面が納骨槽１の上面よりも若干低くなるように形成すればよいが、その場合には、筒体４を用いる場合に比べて、土壌３を充填する領域の高さが低くなる。よって、筒体４を用いた場合と同様に支持体５の上面を納骨槽１の上面よりも十分に低く形成しておき、墓碑２を厚くするか、筒体４の開口部を塞ぐ厚い蓋を用意し、その上に墓碑２を載置して、土壌３を充填する高さを確保しても良い。
【００３０】
上記した実施形態の合祀墓は、筒体４を立てて配置する形態であったが、本考案においては、筒体４を寝かせて配置することも可能である。例えば、図１１は、筒体４を水平方向に寝かせて配置した実施形態の垂直方向の断面模式図であり、図１〜図７の実施形態の合祀墓を、そのまま９０°傾けた形態である。また、図１２は、斜面を利用した合祀墓の実施形態であり、図１１の実施形態の筒体４及び支持体５の、紙面左右方向（水平方向）の長さを上方に向かう程短くし、墓碑２の位置を上方に向かう程後退させた形態である。尚、図１１，図１２の実施形態において、筒体４の墓碑２側が若干上方に位置するように傾けることで、筒体４内に雨水が浸入した場合でも、筒体４内を流れて納骨槽１の側面側に達するため、該側面に透水性を持たせておけば、良好に排出される。
【００３１】
図１１，図１２の形態においても、図３に例示した砕石層６を、納骨槽１の下方に形成しておき、納骨槽１内に浸入した雨水等を、該砕石層を介して斜面の前面や、不図示の下水道や河川へ排出する形態とすることが好ましい。
図１１，図１２の形態では、墓碑２を支持するため、筒体４或いは支持体５に墓碑２を固定する手段を講じる必要があり、同時に、墓碑２を樹脂製や金属製とすることで、軽量化することが好ましい。
【符号の説明】
【００３２】
１：納骨槽、２：墓碑、３：土壌、４：筒体、４ａ：納骨部、５：支持体、５ａ，５ｂ，５ａ’，５ｂ’：支持部材、５ｃ：空洞部、６：砕石層、７：排水パイプ、１０：発泡プラスチック板、１０ａ：凹部、１１：間隙材
【図１】
0003235415.tif 000003
【図２】
0003235415.tif 000004
【図３】
0003235415.tif 000005
【図４】
0003235415.tif 000006
【図５】
0003235415.tif 000007
【図６】
0003235415.tif 000008
【図７】
0003235415.tif 000009
【図８】
0003235415.tif 000010
【図９】
0003235415.tif 000011
【図１０】
0003235415.tif 000012
【図１１】
0003235415.tif 000013
【図１２】
0003235415.tif 000014